(57)【要約】【課題】少ない電力で振り子を揺動させることができる遊戯台用フィーバー表示具を提供する。【解決手段】プラスチック製の振り子本体（２）と、振り子本体（２）の上端部（３）に形成したプレート差込部（４）に差込んで取付けられるフィーバー表示プレート（５）と、振り子本体（２）の下端部（６）に形成された弾発挾持部（７）にて弾発的に挟着された磁石（８）と、を有する振り子（１）を備える。振り子（１）の上半部を上方突出状としてかつ振り子（１）の下半部を内部に収納状として揺動可能に保持する箱体（９）を備える。さらに、箱体（９）内には磁石（８）を吸引及び反発する電磁石（１０）を設ける。【選択図】　図２
2004016262.tif 000002
【特許請求の範囲】
【請求項１】
プラスチック製の振り子本体（２）と、該振り子本体（２）の上端部（３）に形成したプレート差込部（４）に差込んで取付けられるフィーバー表示プレート（５）と、上記振り子本体（２）の下端部（６）に形成された弾発挾持部（７）にて弾発的に挾着された磁石（８）と、を有する振り子（１）を備え、上記振り子（１）の上半部を上方突出状としてかつ該振り子（１）の下半部を内部に収納状として揺動可能に保持する箱体（９）を備え、さらに、上記箱体（９）内には上記磁石（８）を吸引及び／又は反発する電磁石（１０）を設けたことを特徴とする遊戯台用フィーバー表示具。
【請求項２】
プレート（５）の下端縁（１８）中央に切欠凹部（１９）を有し、該切欠凹部（１９）を上記振り子本体（２）のプレート差込部（４）に対応させた請求項１記載の遊戯台用フィーバー表示具。
【請求項３】
箱体（９）がプラスチック製であって、かつ、遊戯台（Ｐ）の近傍に付設された被取付部材（１１）に着脱自在に取付けられる取付部（１２）を上記箱体（９）が備え、上記被取付部材（１１）は上方開口状の挿込孔（１３）を有すると共に側外方に三角溝（１４）を有し、さらに、上記取付部（１２）は、上記被取付部材（１１）の挿込孔（１３）に挿込まれる倒立Ｌ字型フック（１５）、及び、上記三角溝（１４）に差込まれる上下方向の三角山型凸条（１６）を、備えている請求項１記載の遊戯台用フィーバー表示具。
【発明の詳細な説明】
【０００１】
【発明の属する技術分野】
本発明は、遊戯台用フィーバー表示具に関する。
【０００２】
【従来の技術】
従来の遊戯台用フィーバー表示具は、振り子が鋼から成る。
【０００３】
【発明が解決しようとする課題】
しかし、鋼は比重が大きいため、振り子を揺動させるために多くの電力を必要とした。また、コスト高でもあった。
【０００４】
そこで、本発明は、少ない電力で簡単に振り子を揺動させることができる遊戯台用フィーバー表示具を提供することを目的とする。また、低コストにて製造することができる遊戯台用フィーバー表示具を提供することを他の目的とする。
【０００５】
また、プレートと振り子本体とを簡単にかつ確実に一体化することができる遊戯台用フィーバー表示具を提供することを他の目的とする。また、取付部と被取付部材とを、相互に水平軸心廻りにがたつかないように一体化することができる遊戯台用フィーバー表示具を提供することを他の目的とする。また、容易に遊戯台に付設することができる遊戯台用フィーバー表示具を提供することを他の目的とする。
【０００６】
【課題を解決するための手段】
上述の目的を達成するために、本発明に係る遊戯台用フィーバー表示具は、プラスチック製の振り子本体と、該振り子本体の上端部に形成したプレート差込部に差込んで取付けられるフィーバー表示プレートと、上記振り子本体の下端部に形成された弾発挾持部にて弾発的に挾着された磁石と、を有する振り子を備え、上記振り子の上半部を上方突出状としてかつ該振り子の下半部を内部に収納状として揺動可能に保持する箱体を備え、さらに、上記箱体内には上記磁石を吸引及び／又は反発する電磁石を設けたものである。
【０００７】
また、プレートの下端縁中央に切欠凹部を有し、該切欠凹部を上記振り子本体のプレート差込部に対応させたものである。また、箱体がプラスチック製であって、かつ、遊戯台の近傍に付設された被取付部材に着脱自在に取付けられる取付部を上記箱体が備え、上記被取付部材は上方開口状の挿込孔を有すると共に側外方に三角溝を有し、さらに、上記取付部は、上記被取付部材の挿込孔に挿込まれる倒立Ｌ字型フック、及び、上記三角溝に差込まれる上下方向の三角山型凸条を、備えているものである。
【０００８】
【発明の実施の形態】
以下、実施の形態を示す図面に基づき、本発明を詳説する。
【０００９】
図１は、本発明の実施の一形態の使用状態を示す。パチンコ台やパチスロ台等の遊戯台Ｐがフィーバーしたときに、遊戯店の店員が、その遊戯台Ｐの近傍───例えば遊戯台Ｐの上方の壁面───に、遊戯台用フィーバー表示具を付設する。遊戯台用フィーバー表示具は、振り子１が矢印Ａの如く左右に揺動することにより、その遊戯台Ｐがフィーバーしていることを表示するものである。
【００１０】
図２〜図４に示すように、振り子１は、プラスチック製の振り子本体２と、振り子本体２の上端部３に形成したプレート差込部４に差込んで取付けられるフィーバー表示プレート５と、振り子本体２の下端部６に形成された弾発挾持部７，７にて弾発的に挾着された磁石８，８と、を有する。
【００１１】
この遊戯台用フィーバー表示具は、振り子１の上半部を上方突出状としてかつ振り子１の下半部を内部に収納状として揺動可能に保持する箱体９を備える。箱体９内には磁石８を吸引及び反発する電磁石１０が設けられる。（電磁石１０のはたらきについては、後述する。）
【００１２】
図２・図３に示すように、遊戯台用フィーバー表示具は、プレート５の下端縁１８中央に切欠凹部１９を有する。切欠凹部１９は振り子本体２のプレート差込部４に対応する。プレート差込部４は、上面２０，２０が（両方合わせると）Ｖ字溝状に形成されていて、プレート５を容易にプレート差込部４に差込むことができる。また、図３（ｂ）　に示すように、プレート差込部４は、プレート５が前後方向にがたつくのを防止する溝２１を有する。
【００１３】
振り子１は、金属製の軸１７，１７によって、箱体９に枢結されている。軸１７は、金属製なので、プラスチック製の場合よりも強度的に優れ、軸径ｄが小さくて良く、揺動するときの摩擦抵抗を小さくすることができる。
【００１４】
図４に示すように、弾発挾持部７は、左右方向中央部に縦長状の切欠部２３を有する。弾発挾持部７は、切欠部２３によって、左右一対の半体２４，２４に略分けられる。半体２４には、磁石８を挾持するための凹部２５を有する挾持片３０が突設される。（左右一対の半体２４，２４に設けられた）挾持片３０，３０は、相互に上方接近・下方離間状のテーパ面３１，３１を有する。
【００１５】
磁石８を挾持させるには、振り子本体２の下方から、テーパ面３１，３１に沿って、磁石８を上方へスライドさせる。このとき、半体２４，２４は離間し、相互に近接する方向の弾発力（図示省略）がはたらく。磁石８が凹部２５，２５に挟着されると、左右一対の半体２４，２４は、（弾発力のはたらかない）自然状態となる。この構造により、一旦凹部２５，２５に挟着された磁石８は、抜止めされる。
【００１６】
図１・図５に示すように、箱体９がプラスチック製であって、かつ、遊戯台Ｐの上部に付設された被取付部材１１に着脱自在に取付けられる取付部１２を箱体９が備える。被取付部材１１は上方開口状の挿込孔１３を有すると共に側外方に三角溝１４を有する。取付部１２は、被取付部材１１の挿込孔１３に挿込まれる倒立Ｌ字型フック１５、及び、三角溝１４に差込まれる上下方向の三角山型凸条１６を、備えている。
【００１７】
図２・図５に於て、２２は、太陽電池を示す。太陽電池２２は、回路３２を介して、（前述の）電磁石１０と接続される。太陽電池２２によって、発電を行ない、電磁石１０を回路３２にて周期的又は非周期的にＯＮ／ＯＦＦして、電磁石１０と磁石８の吸引及び反発により、振り子１を揺動させる。
【００１８】
なお、本発明は、設計変更可能であって、例えば、振り子１は、磁石８を、４個有するも良い。また、電磁石１０が、磁石８を吸引又は反発するも良い。また、振り子本体２の振れを検知するセンサーを設け、電磁石１０のＯＮ／ＯＦＦにフィードバックさせるも良い。
【００１９】
【発明の効果】
本発明は、上述の如く構成されるので、次に記載する効果を奏する。
【００２０】
（請求項１によれば）少ない電力で簡単に振り子１を揺動させることができる。また、振り子本体２がプラスチック製なので、低コストにて製造することができる。また、異種のフィーバー表示プレート５を、簡単に交換することができる。すなわち、汎用性がある。また、磁石８を（両面テープにて接着するよりも）確実に振り子本体２に付設することができる。また、揺動する機構が外部から不可視なので、見る人に不思議な感じを与えることができる。
【００２１】
（請求項２によれば）プレート５と振り子本体２とを簡単にかつ確実に一体化することができる。プレート５が、振り子本体２に対してがたつかない。
（請求項３によれば）取付部１２と被取付部材１１とを、相互に鉛直軸心廻りにがたつかないように差込むことができる。また、三角山型凸条１６が三角溝１４にガイドされるので、容易に遊戯台Ｐに付設することができ、高い位置でも付設しやすい。
【図面の簡単な説明】
【図１】本発明の実施の一形態の使用状態を示す側面図である。
【図２】一部断面正面図である。
【図３】一部断面側面図である。
【図４】振り子本体を示す正面図である。
【図５】一部断面平面図である。
【符号の説明】
１　振り子
２　振り子本体
３　上端部
４　プレート差込部
５　（フィーバー表示）プレート
６　下端部
７　弾発挾持部
８　磁石
９　箱体
１０　電磁石
１１　被取付部材
１２　取付部
１３　挿込孔
１４　三角溝
１５　（倒立Ｌ字型）フック
１６　三角山型凸条
１８　下端縁
１９　切欠凹部
Ｐ　遊戯台
【図１】
2004016262.tif 000003
【図２】
2004016262.tif 000004
【図３】
2004016262.tif 000005
【図４】
2004016262.tif 000006
【図５】
2004016262.tif 000007